(57)【要約】      （修正有）【課題】家具と天井の隙間を埋め、家具の転倒を防止する。【解決手段】家具１等の天板に配するエアクッション材１０であって、仕切られた複数の区画小室Ｃ１〜Ｃ１０を備え、各区画小室は注入口から送られた空気を、それぞれの小室内へ導入できる逆止弁２０を備える。家具天板に配したエアクッション材は、天井との間にはさまって緩衝材として機能する。激しい地震のとき、内壁を背にした家具等は前方へ倒れようとする。内壁側の部分は強い外力が加わり破損を起こしやすい。しかし複数の区画小室に仕切られ自由な空気流動が阻止されるため、内壁側の一部分が破損しても他の区画小室は破損することなくそのまま残りクッション材として機能する。【選択図】図２
0003117682.tif 000002
【実用新案登録請求の範囲】
【請求項１】
家具等の天板に配するエアクッション材であって、
仕切られた複数の区画小室を備え、
各区画小室は、注入口から送られた空気を、それぞれの小室内へ導入できる逆止弁を備えることを特徴とする家具等の転倒防止クッション材。
【請求項２】
注入口から送られた空気を区画小室へ導入する逆止弁は、各区画小室について一個とすることを特徴とする請求項１記載の家具等の転倒防止クッション材。
【考案の詳細な説明】
【技術分野】
【０００１】
本考案は、地震時における家具等の転倒を防止するクッション材に関する。
【背景技術】
【０００２】
地震が発生した際の人身事故としては、家具等の転倒による直接的な圧迫事故や避難経路の遮断による逃げ遅れに基づくものが少なくない。このような事故を惹起する家具等は、背の高い箱形のものである。例えば、タンス、本棚、自動販売機などである。
【０００３】
このため従来から、地震発生時における家具等の転倒を防止する提案が各種なされている。例えば、特開２００２−３５５１３５号公報記載の考案は、天井と家具類を連結する器具を提案しており、特開２０００−０１４４７３号公報記載の考案は、地震の揺れを感知して膨張する気密容器によって天井と家具類の間の隙間を満たし、膨張圧力によって家具等の転倒を防止する。
【特許文献１】特開２００２−３５５１３５号
【特許文献２】特開２０００−０１４４７３号
【考案の開示】
【考案が解決しようとする課題】
【０００４】
問題は、取り付けの煩雑、コスト、および信頼性である。
特許文献１のように、天井と家具等を連結する器具は、設置が煩雑であるし、天井に当接させる部材の面積が小さいため、激しい揺れに対する転倒防止の効果を十分に確保しにくい難点がある。
【０００５】
一方、特許文献２のように、地震の揺れを感知して膨張する気密容器によって家具の揺れを抑える構成では、設置の状態が正確でなければ、膨張量が少ないときには家具の揺れを抑える効果が十分に確保できないし、逆に、膨張圧によって天井が破損する可能性もある。地震時の膨張量と、天井までの隙間量との調整が難しく好ましい効果を確実に得る点では疑問が残る。また地震の揺れを検出するセンサを利用するためコストが嵩む難点があり、センサの誤作動や作動不良などの問題も懸念される。
【０００６】
そこで、本考案の目的は、単純な構成でありながら家具等と天井との隙間を確実に埋め、地震発生時における転倒防止効果を確実に得ることの出来るクッション材を提供する点にある。
【課題を解決するための手段】
【０００７】
前記目的を達成するため、請求項１に係る家具等の転倒防止クッション材は、家具等の天板に配するエアクッション材であって、仕切られた複数の区画小室を備え、各区画小室は、注入口から送られた空気を、それぞれの小室内へ導入できる逆止弁を備えることを特徴とする。
【０００８】
家具等の天板に配したエアクッション材は、天井材と地震の際に揺れる家具等の天板との間にはさまって緩衝材として機能し、家具の転倒を防止する。激しい地震の場合には、内壁を背にした家具等が前方へ傾いて倒れようとするが、このときエアクッション材の内壁側の部分にはとくに強い外力が加わるため、柔軟な樹脂材を使用するエアクッション材は当該部分で破損を起こしやすい。
【０００９】
しかしながら、本考案によれば、エアクッション材の内部が複数の区画小室に仕切られているため、内壁側の部分が破損しても他の区画小室は破損することなくそのままの状態を保ってエアクッション材としての役割を果たす。区画小室の数が多ければ、たとえ二カ所ないし三カ所が破損してもエアクッション材の機能性に殆ど影響はない。
【００１０】
注入口から送り込まれる空気によって開口を開いて空気を各区画小室に導き、下流側に生ずる圧力によって開口を閉じる逆止弁は、各区画小室について複数設けても良い。しかし、製造コストや不具合の発生確率を軽減するため、請求項２に記載したように各区画小室について一個とする場合がある。注入口から空気を送り込めば、逆止弁を通って各区画小室に空気が送り込まれるのでエア充填時の作業性は良好である。
【考案の効果】
【００１１】
本考案に係るクッション材によれば、単純な構成でありながら家具等と天井面との隙間を埋め、圧力による一部破損が生じても残余の部分によって地震発生時における家具等の転倒を確実に抑える効果を得る。
【考案を実施するための最良の形態】
【００１２】
図１〜図３は、本考案に係るクッション材１０の実施形態を例示するものである。
【００１３】
このクッション材１０は、例えば、図１に示すように、家具１の天板に位置調整用のスペーサ２を置いて、このスペーサ２の上に配して使用する。３は床面、４は内壁、５は天井である。クッション材１０の上面は、天井５と隙間なく配設することが望ましい。家具１の高さが十分であればスペーサ２を設けるまでもないことは当然である。
【００１４】
クッション材１０の内部は複数の区画小室に区分する。図１は側面から例示しているので、区画小室を例えば符号Ｃ６〜Ｃ１０として示してある。図１に示す側面からの図で見ると、斜線をもって示した内壁４側の区画小室Ｃ１０が、地震発生時に最も強い外力を受けやすい部分となる。通常の場合、家具１は、矢印Ｆで示す内壁４とは反対の前方側に倒れようとするからである。
【００１５】
図２に示すように、クッション材１０は、その内部を例えば１０個の区画小室Ｃ１〜Ｃ１０に仕切る。側面からみたときは、例えば図３に示すように、５個の区画小室Ｃ６〜Ｃ１０が存在する。１４は、区画小室Ｃ１〜Ｃ１０を作る仕切壁材である。クッション材１０の本体も仕切壁材１４も、可撓性のある柔軟な樹脂材（例えば塩化ビニル）を用いて構成する。
【００１６】
図２において、符号１５は、空気の注入口である。この注入口１５は、クッション材１０の例えば側面に設ける。好ましくは、側面の端部の区画小室Ｃ１である。なお、端部の区画小室Ｃ１、Ｃ６は、クッション材１０を配置するときに内壁４から離れたところに位置させる部位である。
【００１７】
図２、図３において、符号２０は、逆止弁である。この逆止弁２０は、区画小室Ｃ１〜Ｃ１０を作る仕切壁材１４に一個ずつ配置してあり、端部の注入口１５から供給された空気圧力によって弁体２７が開口を開き、端部の区画小室Ｃ１から他端のＣ５まで、および区画小室Ｃ１から隣接する区画小室Ｃ２を経由して区画小室Ｃ５に隣接する区画小室Ｃ１０まで空気を充填させる。
【００１８】
注入空気の流れとは逆の空気の圧力に対しては、逆止弁２０は、弁体２７が閉じて自由な空気流動を阻止する。例えば、クッション材１０の全体に空気が充満して家具１の上に配置されたときは、図４、図５に斜線をもって示すように、端部の区画小室Ｃ５または区画小室Ｃ１０に外力が加わって内部圧力が上昇しても、逆止弁２０が閉じて空気の移動を妨げる。
【００１９】
この結果は次の通りである。地震発生時には、図６に示すように、家具１が矢印Ｆの方向（内壁４と反対の前方向）に倒れようとするため、内壁４側の端部の区画小室Ｃ５または区画小室Ｃ１０の内部圧力は、他の区画小室Ｃ１〜Ｃ４およびＣ６〜Ｃ９よりも高まって、限界値を越えると破損する。しかし残余の部分、すなわち区画小室Ｃ１〜Ｃ４、Ｃ６〜Ｃ９、およびはＣ５またはＣ１０の一方は破損を免れてそのまま存続する。これによって、クッション材１０は、一部の破損によっても転倒防止機能を損なわずに天井５と家具１との間に挟まって機能し続ける。
【００２０】
図７は、本考案に係るクッション材の他の実施形態を例示するものである。このクッション材３０は、下面にエアの注入口３１と、エア供給のための共用領域３２を備えている。
【００２１】
クッション材３０の内部は、例えば１２個の区画小室に分けておく。この図７は側面から示してあるので、例えば１２個の半分、つまり６個の区画小室Ｃ３１〜Ｃ３６を示してある。区画小室の配置は対称形である必要はないが、製造の容易や圧力の均等分散の観点からは平面から見たときに左右対称形に区画小室を設けておくことが望ましい。
【００２２】
区画小室Ｃ３１〜Ｃ３６への空気の導入口となる逆止弁３５は、各区画小室Ｃ３１〜Ｃ３６の下端面に設ける。３７は、空気圧に応じて開口を開閉する弁体である。逆止弁３５は、各区画小室Ｃ３１〜Ｃ３６の下端面を構成する仕切壁３８にそれぞれ例えば一個配設しておく。各区画小室Ｃ３１〜Ｃ３６の下端面に配する逆止弁３５の数は限定されないが、むやみに配設個数を増やすと製造コストも嵩むし不具合の可能性も高まるので、前記実施形態と同様に各区画小室Ｃ３１〜Ｃ３６に対して一個の逆止弁３５を配しておくことが望ましい。
【００２３】
かかる構造のクッション材３０によれば、エアの注入口３１が閉じている限り、地震発生時に区画小室Ｃ３１〜Ｃ３６内の圧力が高まっても、逆止弁３５の弁体３７が開口を閉じて空気の自由な流動を阻止する。このため、内壁４側に位置する区画小室Ｃ３６が破損しても、残余の区画小室（Ｃ３１〜Ｃ３５）には何らの影響もない。また前記実施形態のクッション材１０と異なり、どの部位の区画小室が破損しても、弁体３７が閉じて空気の自由な流動を阻止するため、残余の区画小室には何らの影響も出ない。
【００２４】
本考案に係るクッション材は、前記実施形態に限定されない。例えば、区画小室は上下方向に複数段の構造としても良い。区画小室の配設パターンは限定されないが、圧力の均等分散の観点からは、各区画小室の大きさ（容積）は略均等とすることが望ましい。
【００２５】
また、本考案に係る逆止弁の弁体は、空気の圧力差によって開閉する構造のものであればよい。空気圧によって開閉できればよいので構造はきわめて単純でよく製造コストも低く抑えることが出来る。
【図面の簡単な説明】
【００２６】
【図１】本考案に係るクッション材の配置例を示す図である。
【図２】本考案に係るクッション材を平面から例示する図である。
【図３】図２のＡ−Ａ線矢視相当図である。
【図４】図２に示す逆止弁の弁体が閉じた状態を示す図である。
【図５】図３に示す逆止弁が弁体を閉じた状態を示す図である。
【図６】図１に示す家具が傾いた状態を示す図である。
【図７】本考案に係るクッション材の他の実施形態を平面から示す図である。
【符号の説明】
【００２７】
１  家具
２  スペーサ
３  床面
４  内壁
５  天井
１０、３０  クッション材
１４、３８  仕切壁材
１５、３１  （空気の）注入口
２０、３５  逆止弁
２７、３７  弁体
３２  共用領域
Ｃ１〜Ｃ１０、Ｃ３１〜Ｃ３６  区画小室
Ｆ  家具の転倒方向
【図１】
0003117682.tif 000003
【図２】
0003117682.tif 000004
【図３】
0003117682.tif 000005
【図４】
0003117682.tif 000006
【図５】
0003117682.tif 000007
【図６】
0003117682.tif 000008
【図７】
0003117682.tif 000009